(57)【要約】【課題】  人体をうつ伏せに寝かせるだけで、腰椎を伸ばすとともに、脊柱起立筋の緊張を解くことができるベッドを提供する。【解決手段】  人体をうつ伏せに寝かせた状態で、当該人体の頭部Ａ１から脚部Ａ３にかけて保持する長さを有する。さらに、人体の胴部Ａ２から頭部Ａ１側に向かって前下がりに傾斜させるとともに、人体の胴部Ａ２から脚部Ａ３に向かって後ろ下がりに傾斜させた姿勢で、人体を保持する基本形態を備えている。この基本形態において、少なくとも人体の胴部Ａ２を上方に膨らむ湾曲形状に曲げて保持する。【選択図】      図３
2006341019.tif 000002
【特許請求の範囲】
【請求項１】
人体をうつ伏せに寝かせた状態で、当該人体の頭部から脚部にかけて保持する長さを有し、
且つ、人体の胴部から頭部側に向かって前下がりに傾斜させるとともに、人体の胴部から脚部に向かって後ろ下がりに傾斜させた姿勢で、人体を保持する基本形態を備えたベッド。
【請求項２】
前記基本形態において、少なくとも人体の胴部を上方に膨らむ湾曲形状に曲げて保持する請求項１のベッド。
【請求項３】
フレームと、このフレームの上縁に沿って装着されたマットとを含み、前記マットの上面に人体をうつ伏せに寝かせた状態で、当該人体の頭部から脚部にかけて保持する長さを有するベッドであって、
前記フレームは、人体の胴部から頭部側に向かって前下がりに傾斜させるとともに、人体の胴部から脚部に向かって後ろ下がりに傾斜させた姿勢で、人体を保持する基本形態を備えた構成であるベッド。
【請求項４】
前記フレームは、前記基本形態において、少なくとも人体の胴部を支える部分が、上方に膨らむ湾曲形状に形成してある請求項３のベッド。
【請求項５】
前記フレームは、前記基本形態において、少なくとも人体の胴部を支える部分が、上方に膨らむクロソイド曲線に沿った湾曲形状に形成してある請求項４のベッド。
【請求項６】
前記フレームは、人体の足先方向にある端部を支点として、鉛直面に沿って揺動自在であり、
且つ、前記フレームを駆動し任意の揺動位置に保持する角度調整機構を備えた請求項３乃至５のいずれか一項に記載したベッド。
【請求項７】
前記マットは、人体の頭部を保持する頭部保持用マットと、人体の胴部から脚部にかけてを保持する一又は複数の他のマットとを含み、
前記頭部保持用マットは、前記フレームに沿って移動自在である請求項３乃至６のいずれか一項に記載したベッド。
【請求項８】
前記他のマットは、人体の胴部を保持する胴部保持用マットと、前記人体の脚部を保持する脚部保持用マットとを含み、
前記脚部保持用マットが、前記フレームに沿って移動自在である請求項７のベッド。
【請求項９】
前記頭部保持用マットは、人体の顔面を配置する部位を中抜きしてあり、
且つ、人体の後頭部側に配置され、前記頭部保持用マットと協働して人体の頭部を挟持する後頭部保持用マットと、
人体の頭部を挟持した頭部保持用マットおよび後頭部保持用マットを、前記フレームに沿って前端方向へ牽引する強制牽引手段と、を備えた請求項７又は８のベッド。
【請求項１０】
前記フレームは、少なくとも人体の胴部を支える部分が、複数のフレーム片を回動自在に連結して構成してあり、これら各フレーム片の相対的な回動によって曲率を調整可能な構成である請求項４のベッド。
【発明の詳細な説明】
【技術分野】
【０００１】
この発明は、人体をうつ伏せに寝かせるだけで、腰椎を伸ばしたり、筋肉の緊張を解いたりする効果のあるベッドに関する。
【背景技術】
【０００２】
本出願人が調べた範囲において、特許文献１に開示された腰痛治療台が、本発明にもっとも近い構成を備えている。
同文献１に開示された腰痛治療台は、人体の上半身（すなわち、頭部から下腹部まで）をうつ伏せに寝かせる上半身搭載板を備えている。人体の下半身（すなわち、脚部）は、上半身搭載板の後方側端縁から垂直方向下向きに、自然に垂れ下がる構成となっており、この垂れ下がった下半身部分の重さが腰椎に牽引力として作用し、この牽引作用をもって腰痛治療を行うものであった。
また、同文献１に開示された腰痛治療台は、上半身搭載板の傾斜角度を調節して、腰部の屈曲角度を変えられる構造も備えている。すなわち、上半身搭載板の後方側端縁を上方に持ち上げて腰部を大きく屈曲させることで、腰椎がいっそう伸びて牽引作用が大きくなる。一方、上半身搭載板の後方側端縁を下方に下げて腰部の屈曲度合いを低下させることで、腰椎の伸びを減少させ牽引作用を小さくすることもできる。
【特許文献１】特開２０００−１８５０６４号公報
【発明の開示】
【発明が解決しようとする課題】
【０００３】
上述した特許文献１の腰痛治療台は、人体の下半身が垂れ下がる姿勢をつくり、その垂れ下がった下半身の自重によって腰椎を牽引する機能を有するだけであり、筋肉（特に、脊柱起立筋）の緊張を解いたり、さらに頸椎を伸ばしたりする機能は備えていない。
これに対し、本発明は、人体をうつ伏せに寝かせるだけで、腰椎を伸ばすとともに、脊柱起立筋の緊張を解くことができるベッドの提供を第１の目的とする。
さらに、本発明は、腰椎を伸ばすとともに、脊柱起立筋の緊張を解き、しかも頸椎を伸ばすこともできるベッドの提供を第２の目的とする。
【課題を解決するための手段】
【０００４】
上記目的を達成するために、本発明のベッドは、人体をうつ伏せに寝かせた状態で、当該人体の頭部から脚部にかけて保持する長さを有し、
更に、人体の胴部から頭部側に向かって前下がりに傾斜させるとともに、人体の胴部から脚部に向かって後ろ下がりに傾斜させた姿勢で、人体を保持する基本形態を備えた構成としてある。
さらに、基本形態において、少なくとも人体の胴部を上方に膨らむ湾曲形状に曲げて保持する構成としてある。
【０００５】
また本発明のベッドは、フレームと、このフレームの上縁に沿って装着されたマットとを含み、マットの上面に人体をうつ伏せに寝かせた状態で、当該人体の頭部から脚部にかけて保持する長さを有するベッドであって、
フレームは、人体の胴部から頭部側に向かって前下がりに傾斜させるとともに、人体の胴部から脚部に向かって後ろ下がりに傾斜させた姿勢で、人体を保持する基本形態を備えた構成となっている。
【０００６】
人体には、背部の背骨に沿って脊柱起立筋と称する筋肉がある。この脊柱起立筋の緊張は、背中、肩、首筋のコリ（痛み）を発症させ、体調不良の原因となる。本発明のベッドは、人体をうつ伏せに寝かせた状態で、人体の胴部から頭部側を前下がりに傾斜させるとともに、脚部側を後ろ下がりに傾斜させるので、背中全体が山なりに湾曲する。このため、脊柱起立筋が伸ばされて、その緊張を解きほぐす効果がある。
また、胴部から脚部側に向かっては、後ろ下がりに傾斜した姿勢となっているので、腰椎に下半身の重量がほどよく作用して腰椎を伸ばす。
【０００７】
ここで、フレームは、上記の基本形態において、少なくとも人体の胴部を支える部分が、上方に膨らむ湾曲形状に形成してあることが好ましい。既述したように、人体は背中全体が山なりに湾曲した姿勢をもって、本発明のベッドに保持されるので、背中の曲がりに合わせてフレームを湾曲形成しておけば、自然な姿勢で人体を保持することが可能となる。
【０００８】
本発明者の実験によれば、上記の基本形態において、少なくとも人体の胴部を支える部分が、上方に膨らむクロソイド曲線に沿った湾曲形状に形成したときが、もっとも被験者に心地よさと安らぎを与えることができた。
クロソイド曲線とは、次の極方程式により定義される曲線であり、クロソイドの曲率円の半径（ｒ）は、その曲線上の長さｓに反比例する。
ｒ＝ａ２/ｓ(θ)          （ａは定数）
【０００９】
また、フレームは、人体の足先方向にある端部を支点とし、鉛直面に沿って揺動自在な構成とすることができる。このフレームは、角度調整機構をもって駆動され、任意の揺動位置に保持される。
フレームを、上記足先方向にある端部を支点として、頭部側を持ち上げるように揺動させると、ベッドにうつ伏せにされた人体は起立した姿勢に近づいていく。この方向への揺動角度が直角に近づくほど、脚部の重量が腰椎に大きく作用して、腰椎に対する引っ張り作用が増加する。
【００１０】
ここで、マットは、人体の頭部を保持する頭部保持用マットと、人体の胴部から脚部にかけてを保持する一又は複数の他のマットとを含んだ構成とし、
さらに、頭部保持用マットは、フレームに沿って移動自在な構成とすることが好ましい。
このように頭部保持用マットを移動自在とすることで、人体頭部の自重によって頸椎が引っ張られ、頸椎を伸ばすことができる。
【００１１】
また、上記他のマットは、人体の胴部を保持する胴部保持用マットと、人体の脚部を保持する脚部保持用マットとを含み、
脚部保持用マットが、フレームに沿って移動自在な構成とすることもできる。
このように構成すれば、マットと人体脚部との間に摩擦があっても、脚部保持用マットの移動をもって人体脚部の自重を腰椎に作用させることができ、いっそう効率よく腰椎を引張ることが可能となる。
【００１２】
また、頭部保持用マットは、人体の顔面を配置する部位を中抜きしてあることが好ましい。このように中抜きすることで、自然な呼吸を行うことができる。
さらに、人体の後頭部側に配置される後頭部保持用マットを備え、この後頭部保持用マットと頭部保持用マットで人体の頭部を挟持し、これらのマットを強制牽引手段によりフレームに沿って前端方向へ牽引する構成とすれば、頸椎を強制的に牽引することが可能となる。
【００１３】
さらに、少なくとも人体の頭部から胴部にかけてを支えるフレーム部分は、複数のフレーム片を回動自在に連結した構成とし、これら各フレーム片の相対的な回動によって曲率を調整可能な構成とすることもできる。
このように構成することで、個々の使用者に合わせて柔軟にフレームの湾曲形状を変更することが可能となり、使用者それぞれが自然な姿勢で本発明のベッドに寝ることができる。
【発明の効果】
【００１４】
以上説明したように、本発明によれば、人体をうつ伏せに寝かせるだけで、腰椎を伸ばすとともに、脊柱起立筋の緊張を解くことができる。
【発明を実施するための最良の形態】
【００１５】
以下、この発明の実施の形態について図面を参照して詳細に説明する。
図１乃至図４は、本発明の実施形態に係るベッドを示す図である。
本実施形態に係るベッドは、土台１０にフレーム２０を回動自在に連結するとともに、フレーム２０の上縁にマット３０を装着した構成となっている。使用者は、人体をうつ伏せにしてマット３０の上面に寝る。ベッドは、うつ伏せに寝た使用者Ａの頭部Ａ１から脚部Ａ３にかけて保持する長さを有している。
【００１６】
図２に示すように、フレーム２０は、金属パイプや金属板を溶接して形成されている。土台１０への連結箇所は、フレーム２０の一端であり、ヒンジ２１を介して土台１０に連結してある。この連結端は、ベッドに寝る使用者Ａの足先方向にある端部である。さらに、土台１０とフレーム２０との間には、油圧シリンダ等のアクチュエータにより構成された角度調整機構２２が設けてある。この角度調整機構２２の伸縮により、フレーム２０はヒンジ２１部分を中心に、鉛直面に沿って揺動する。
【００１７】
フレーム２０は、図３に示すように、人体の胴部Ａ２から頭部Ａ１側に向かって前下がりに傾斜させるとともに、人体の胴部Ａ２から脚部Ａ３に向かって後ろ下がりに傾斜させた姿勢で、人体を保持する。この形態が、フレーム２０の基本形態である。ここで、フレーム２０は、人体の胴部Ａ２を支える部分が、みぞおち部分を頂部として、上方に膨らむ湾曲形状に形成してある。この湾曲形状は、具体的には、既述したクロソイド曲線に沿った湾曲形状に設定してある。なお、本実施形態では、クロソイド曲線に沿って、人体の頭部Ａ１を支えるフレーム部分も、上方に膨らむ湾曲形状に形成してある。
【００１８】
フレーム２０をこのような形状に形成することで、ベッドにうつ伏せに寝た使用者Ａは、背中全体が山なりに湾曲する。このため、脊柱起立筋が伸ばされて、その緊張を解きほぐす効果がある。また、胴部Ａ２から脚部Ａ３側に向かっては、後ろ下がりに傾斜した姿勢となっているので、腰椎Ａ５に下半身の重量がほどよく作用して腰椎Ａ５を伸ばす。
使用者は、この状態を保ちしばらく寝ているだけでも、これらの効果を得ることができるが、更に他人の手をかりてマッサージ等を受ければ、いっそう効果的に筋肉の緊張を解きほぐすことができる。
【００１９】
フレーム２０には、うつ伏せになって寝ている使用者Ａの腕を載せるための腕置きマット２３が、両脇から突き出すようにして配設されている。
【００２０】
フレーム２０は、上述した角度調整機構２２により任意の角度位置に配置することができる。例えば、図３に示す基本形態を構成する角度位置から、図示時計方向に揺動させれば、図４に示すように、ベッドにうつ伏せに寝ている使用者Ａは、人体が起立した姿勢に近づいていく。この方向への揺動角度が直角に近づくほど、使用者Ａの腰椎Ａ５に脚部Ａ３の重量が大きく作用して、腰椎Ａ５に対する引っ張り作用が増加する。
【００２１】
マット３０は、一つの長尺形状に形成してもよいが、本実施形態では、図１、図３等に示すように、使用者Ａの頭部Ａ１を保持する頭部保持用マット３１と、使用者Ａの胴部Ａ２を保持する胴部保持用マット３２と、使用者Ａの脚部Ａ３を保持する脚部保持用マット３３とに分割してあり、それぞれフレーム２０の上縁部に装着してある。
【００２２】
このうち、本実施形態では、頭部保持用マット３１をフレーム２０の軸方向に沿って移動自在としてある。頭部保持用マット３１を移動自在とすることで、少なくとも図３に示す基本形態において、人体頭部Ａ１の自重によって頭部保持用マット３１が前下がりに移動しようとし、その結果、頸椎Ａ４が引っ張られる。
【００２３】
また、頭部保持用マット３１は、図１（ａ）に示すように、人体の顔面を配置する部位３１ａを中抜きした構成としてある。このように中抜きすることで、使用者Ａはうつ伏せに寝ていても自然な呼吸を行うことができる。
【００２４】
胴部保持用マット３２は、使用者Ａの胸部から下腹部あたりまでを載せられる長さに形成してある。
【００２５】
脚部保持用マット３３は、人体の大腿部から爪先まで、脚部Ａ３の全体を載せられる長さに形成してある。なお、この脚部保持用マット３３は、人体の大腿部から膝あたりまでを載せられる長さに形成することもできる。
【００２６】
本実施形態では、胴部保持用マット３２と、脚部保持用マット３３とは、フレーム２０に固定した構成としたが、図５に示すように、これらのマット３２，３３も移動自在な構成とすることができる。
脚部保持用マット３３をフレーム２０に沿って移動自在とすることで、同マット３３と人体脚部Ａ３との間に摩擦があっても、脚部保持用マット３３の移動をもって人体脚部Ａ３の自重を腰椎Ａ５に作用させることができ、いっそう効率よく腰椎Ａ５を引っ張ることが可能となる。
また、胴部保持用マット３２を含めた各マット３１，３２，３３を移動自在とすることで、使用者Ａの身長や体型に合わせて、各マット３１，３２，３３を使用者Ａに最適な位置に調整することができる。ここで、胴部保持用マット３２には、調整後の位置に固定しておくためのストッパ（図示せず）が付設してある。
なお、頭部保持用マット３１および胴部保持用マット３２は、湾曲するフレーム２０に沿った滑らかな移動を確保するため、柔軟性を有していることが好ましい。
【００２７】
図６は、本発明の他の実施形態に係るベッドを示す図である。
同図に示すベッドは、図１乃至図４に示したベッドの構成に加え、人体の後頭部側に配置される後頭部保持用マット４１を備えている。この後頭部保持用マット４１と頭部保持用マット３１とは、バンド等の挟持具４２によって使用者Ａの頭部Ａ１を挟持できる構成となっている。後頭部保持用マット４１も、人体の後頭部が配置される部位を中抜きすることで、人体の後頭部をいっそう確実に挟持することが可能となる。
【００２８】
上述した後頭部保持用マット４１と頭部保持用マット３１は、強制牽引機構４３によりフレーム２０に沿って前端方向へ牽引される構成となっている。例えば、強制牽引機構４３は、滑車４４、ロープ４５、錘４６を含み、次のように構成することができる。すなわち、フレーム２０の先端部に延出アーム４７を連結し、この延出アーム４７の先端部に滑車４４が回転自在に装着してある。後頭部保持用マット４１と頭部保持用マット３１は、ロープ４５を介して錘４６に繋がっている。ロープ４５は、滑車４４に巻掛けてあり、錘４６は下方向に垂れ下がる状態に配置してある。
【００２９】
錘４６の自重によって、後頭部保持用マット４１と頭部保持用マット３１がフレーム２０に沿って前方へ引っ張られる。その結果、後頭部保持用マット４１と頭部保持用マット３１に挟持された使用者Ａの頭部Ａ１が前方へ引っ張られて、頸椎Ａ４が牽引される。
【００３０】
従来の頸椎牽引装置は、顎にバンドを当て、上方に引っ張る方式のものが知られている。この種の顎に牽引力を作用させる方式は、顎関節症と称する顎の関節異常を発症するおそれがあり好ましくない。
これに対し、本実施形態の頸椎牽引構造は、顔面と後頭部の周囲にマット３１，４１が当たり、その当接面に牽引力が作用するため、顎関節症のおそれはない。
なお、強制牽引機構は、図６に示した構成に限定されるものではないことは勿論である。
【００３１】
図７は、本発明の更に他の実施形態に係るベッドを示す図である。
図７に示すベッドは、フレーム２０において、人体の頭部Ａ１から胴部Ａ２にかけてを支える部分が、複数のフレーム片２５を回動自在に連結した構成となっている。この複数のフレーム片２５を回動自在に連結してなるフレーム部分は、油圧シリンダ等の駆動アクチュエータ２６によって、曲率を可変することができる構成となっている。同図（ｂ）は、駆動アクチュエータ２６によって上記曲率を可変できるフレーム部分が伸ばされて、曲率が大きくなった状態を示している。一方、同図（ｃ）は、駆動アクチュエータ２６によって上記曲率を可変できるフレーム部分が曲げられて、曲率が小さくなった状態を示している。
このように構成することで、個々の使用者Ａに合わせて柔軟にフレーム２０の湾曲形状を変更することが可能となり、使用者Ａそれぞれが自然な姿勢でベッドに寝ることができる。
なお、フレーム２０の人体胴部Ａ２を支える部分のみをフレーム片２５によって形成し、曲率を可変できる構成とすることもできる。また、フレーム２０の全体をフレーム片２５によって形成し曲率を可変できる構成とすることもできる。
【図面の簡単な説明】
【００３２】
【図１】本発明の実施形態に係るベッドを示す図で、（ａ）は平面図、（ｂ）は正面図である。
【図２】図１のベッドのフレームを示す図で、（ａ）は平面図、（ｂ）は正面図である。
【図３】図１のベッドの基本形態を示す正面図である。
【図４】図１のベッドを揺動させた状態を示す正面図である。
【図５】図１のベッドの変形例を示す図で、（ａ）は平面図、（ｂ）は正面図である。
【図６】本発明の他の実施形態に係るベッドを示す正面図である。
【図７】本発明の更に他の実施形態に係るベッドを示す正面図である。
【符号の説明】
【００３３】
１０：土台、２０：フレーム、２１：ヒンジ、２２：角度調整機構、２３：腕置きマット、２５：フレーム片、２６：駆動アクチュエータ、３０：マット、３１：頭部保持用マット、３２：胴部保持用マット、３３：脚部保持用マット、４１：後頭部保持用マット、４２：挟持具、４３：強制牽引機構、４４：滑車、４５：ロープ、４６：錘、
【図１】
2006341019.tif 000003
【図２】
2006341019.tif 000004
【図３】
2006341019.tif 000005
【図４】
2006341019.tif 000006
【図５】
2006341019.tif 000007
【図６】
2006341019.tif 000008
【図７】
2006341019.tif 000009